(57)【要約】【課題】自身の弾性力によって部品を係止する部材が着脱不能となることを防ぐことができる遊技機を提供する。【解決手段】クランプ６０は、ハーネスを結束する帯状のバンド部６１と、一端側において挿入されるバンド部６１を所定の形状に維持するヘッド部６２と、ヘッド部６２に設けられ、弾性変形して係止穴５３に挿入され、挿入方向のうち所定の位置までヘッド部６２が挿入されることで弾性力によってヘッド部６２を照明カバー部５０に係止する係止爪６３ａ，６３ｂと、を有する。照明カバー部５０は、係止穴５３の内部に位置し、ヘッド部６２が所定の位置以上に押し込まれた場合に、ヘッド部６２の他端側の一部と当接する規制部５５を有する。【選択図】図５
2019058552.tif 000002
【特許請求の範囲】
【請求項１】
複数の電気部品がハーネスにより電気的に接続されている遊技機において、
前記ハーネスを結束し前記ハーネスを前記遊技機に係止する結束部材と、
前記結束部材が係止される穴である係止穴を有する被係止部と、を備え、
前記結束部材は、
前記ハーネスを結束する帯状のバンド部と、
一端側において挿入される前記バンド部を所定の形状に維持するヘッド部と、
前記ヘッド部に設けられ、弾性変形して前記係止穴に挿入され、挿入方向のうち所定の位置まで前記ヘッド部が挿入されることで弾性力によって前記ヘッド部を前記被係止部に係止する係止部と、を有し、
前記被係止部は、前記係止穴の内部に位置し、前記ヘッド部が前記所定の位置以上に押し込まれた場合に、前記ヘッド部の他端側の一部と当接する規制部を有する、
ことを特徴とする遊技機。
【請求項２】
前記結束部材は、前記ヘッド部の前記他端側に、前記規制部に当接可能な端面と、前記端面よりも挿入方向に突出する突出部と、を有し、
前記規制部は、前記端面と当接した場合に、前記突出部が侵入可能な空間を形成する空間形成部を有する、
ことを特徴とする請求項１に記載の遊技機。
【発明の詳細な説明】
【技術分野】
【０００１】
本発明は、遊技機に関する。
【背景技術】
【０００２】
従来、外周面に図柄が配列されたリールを複数有するリールユニットを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。
【０００３】
上述した遊技機においては、遊技機を構成する各部品を固定するために、挿入時に弾性変形し、自身の弾性力によって物体を係止する係止部を用いて、複数の部品同士を固定する技術が開示されている（例えば、特許文献１参照）。
【先行技術文献】
【特許文献】
【０００４】
【特許文献１】特開２００８−２１２５６４号公報
【発明の概要】
【発明が解決しようとする課題】
【０００５】
特許文献１に記載の遊技機においては、係止部としてのボタン型パネルファスナーが挿入される穴について、ボタン型パネルファスナーを押し込まれた際に確実にボタン型パネルファスナーを押し込めるように、挿入方向において十分な長さを有する穴として形成されているものの、係止部の形状によっては穴に押し込んだ際に係止部のすべてが穴内に押し込まれてしまい、係止部を穴から取り出すことができなくなってしまう虞がある。
【０００６】
そこで本発明は、自身の弾性力によって部品を係止する部材が着脱不能となることを防ぐことができる遊技機を提供することを目的とするものである。
【課題を解決するための手段】
【０００７】
（１）本発明は、複数の電気部品がハーネス（３４）により電気的に接続されている遊技機（１）において、
前記ハーネスを結束し前記ハーネスを前記遊技機に係止する結束部材（６０）と、
前記結束部材が係止される穴である係止穴（５３）を有する被係止部（５０）と、を備え、
前記結束部材は、
前記ハーネスを結束する帯状のバンド部（６１）と、
一端側において挿入される前記バンド部を所定の形状に維持するヘッド部（６２）と、
前記ヘッド部に設けられ、弾性変形して前記係止穴に挿入され、挿入方向のうち所定の位置まで前記ヘッド部が挿入されることで弾性力によって前記ヘッド部を前記被係止部に係止する係止部（６３ａ，６３ｂ）と、を有し、
前記被係止部は、前記係止穴の内部に位置し、前記ヘッド部が前記所定の位置以上に押し込まれた場合に、前記ヘッド部の他端側の一部と当接する規制部（５５）を有する、ことを特徴とする。
【０００８】
（２）また、本発明において、前記結束部材は、前記ヘッド部の前記他端側に、前記規制部に当接可能な端面（６５）と、前記端面よりも挿入方向に突出する突出部（６１ｂ）と、を有し、
前記規制部は、前記端面と当接した場合に、前記突出部が侵入可能な空間を形成する空間形成部（５６）を有する、ことを特徴とする。
【発明の効果】
【０００９】
本発明によれば、自身の弾性力によって部品を係止する部材が着脱不能となることを防ぐことができる遊技機を提供することができる。
【図面の簡単な説明】
【００１０】
【図１】本発明の実施形態の遊技機の外観構成を示す斜視図である。
【図２】本発明の実施形態の遊技機の前面上扉の背面を示す背面図である。
【図３】本発明の実施形態の遊技機のリール照明ユニットを示す分解図である。
【図４】本発明の実施形態の遊技機のクランプを示す斜視図である。
【図５】本発明の実施形態の遊技機の照明カバー部とクランプとを示す断面図である。
【発明を実施するための形態】
【００１１】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。更に、本実施の形態のスロットマシン１を説明する上で、遊技者が対向して着座する側を「前」、その反対側を「後」とし、前側から後側に向かった方向を基準として「左」又は「右」とする。
【００１２】
１．スロットマシンの構成
図１は、本発明の実施形態に係るスロットマシン１の外観構成を示す斜視図である。スロットマシン１は、いわゆる回胴式遊技機と呼ばれるもので、メダルを遊技媒体として用いた遊技を行う種類の遊技機である。
【００１３】
スロットマシン１は、６面体構造のうち遊技者に対向する１面が開口した箱形の筐体１０内の中央部に、外周面に一定間隔で複数種類の図柄が配列された第１リール〜第３リールを備えるリールユニット（不図示）が収められている。また、筐体１０内のリールユニットの下部には、メダルの払出装置としてのホッパーユニット（不図示）が収められている。また、筐体１０内には、ＣＰＵ、ＲＯＭ（情報記憶媒体の一例）、ＲＡＭ等を搭載し、スロットマシン１の動作を制御する主制御基板（不図示）や、各部品に電力を供給するための電源装置及び電源装置のオンとオフとを切り換える主電源スイッチを内蔵した電源ユニット（不図示）等も収められている。
【００１４】
スロットマシン１には、筐体１０の開口する面を被覆する前面上扉２０と前面下扉７１とが、個別に開閉可能に設けられている。前面上扉２０には、上述した第１リール〜第３リールの回転状態及び停止状態を観察可能にする図柄表示窓７３が設けられている。スロットマシン１には、図柄表示窓７３を通じて観察される図柄の表示位置として、各リールについて上段、中段、下段が設けられている。例えば第１リール〜第３リールの停止状態では、各リールの図柄のうち外周面上に連続して配列されている３つの図柄が上段、中段、下段の各表示位置に表示されて、これらの図柄をスロットマシン１の正面から図柄表示窓７３を通じて観察できるようになっている。
【００１５】
また、スロットマシン１は、各リールの上段、中段、下段の表示位置の組合せによって有効ラインが設定されている。スロットマシン１は、１回の遊技を行うために必要となるメダルの数、いわゆる規定投入数が３枚に設定されており、規定投入数に相当するメダルが投入されると、例えば各リールの中段の表示位置によって構成される有効ラインが有効化される。
【００１６】
そして、遊技結果は、図柄表示窓７３内の有効ライン上に停止表示された図柄の組合せによって判定され、有効ライン上の図柄の組合せが予め定められた役に対応した図柄の組合せである場合に、その役が入賞したものとしてホッパーユニットからメダルの払い出し等が行われる。
【００１７】
また、前面上扉２０には、映像を表示することで遊技者の演出に対する興趣を向上させる液晶表示装置９０が設けられている。スロットマシン１では、遊技の進行や遊技者の演出に係る操作に対応する映像が液晶表示装置９０に表示され、遊技者に現在の遊技に係る状態や演出に係る状態が示唆又は報知されるように構成されている。
【００１８】
前面下扉７１の上部には、各種の操作手段が設けられている。操作手段としては、スロットマシン１内に電子的にクレジット（貯留）されたメダルの中から規定投入数のメダルを電子的に投入するマックスベットボタン７６、第１リール〜第３リールを回転させて遊技を開始する契機となる開始操作を遊技者に実行させるためのスタートレバー７７、回転中の第１リール〜第３リールのそれぞれを停止させる契機となる停止操作を遊技者に実行させるためのストップボタンＢ１〜ストップボタンＢ３及び貯留されたメダルを精算して全て排出するための精算ボタン７８が設けられている。
【００１９】
スロットマシン１は、遊技者が規定枚数以上のメダルをメダル投入口７９に投入するか、規定投入数以上のメダルが貯留されている状態でマックスベットボタン７６を押下することで、第１リール〜第３リールの回転制御を開始することが可能な準備状態にセットされる。そして、遊技者がスタートレバー７７を押下すると抽選契機が発生して、主制御基板の制御により、第１リール〜第３リールがステッピングモータで回転開始されると共に、乱数値を用いた内部抽選が行われ、第１リール〜第３リールの回転速度が所定の速度まで上昇し定常回転になってから、ストップボタンＢ１〜ストップボタンＢ３による停止操作が有効化される。
【００２０】
その後、遊技者が任意のタイミングでストップボタンＢ１〜ストップボタンＢ３を押下すると、主制御基板は、ストップボタンＢ１〜ストップボタンＢ３が押下されたタイミング及び内部抽選の結果に応じた停止位置で第１リール〜第３リールを停止させる。
【００２１】
また、主制御基板は、第１リール〜第３リールを停止させた後に、有効ライン上に停止している図柄の組合せ、つまり入賞した図柄の組合せに応じて、各種処理を実行する。主制御基板が実行する各種処理としては、例えば、入賞した図柄の組合せがメダルの払い出しを伴う小役の図柄の組合せである場合には、入賞した小役に設定されている配当に基づきホッパーユニットからメダルを払い出す払出処理や、入賞した図柄の組合せが遊技者にメダルを消費させることなく１回遊技を実行可能にするリプレイの図柄の組合せである場合には、規定投入数のメダルを投入状態に設定するリプレイ処理等がある。
【００２２】
前面下扉７１には、各種の操作手段の他に、遊技情報表示部８０や下パネル８１が設けられている。遊技情報表示部８０は、ＬＥＤ、ランプ、７セグメント表示器等からなり、メダルの貯留数、１回の遊技におけるメダルの払出数、ボーナス状態でのメダルの払出数の合計等の各種遊技情報が表示される。下パネル８１は、例えば遊技機のテーマや関連するキャラクタの画像や商品名等が印刷されて、背面側に配置されている光源（不図示）により照明している。
【００２３】
また、前面下扉７１の下部には、不図示のメダル払出口とメダル受け皿８２とが設けられており、遊技の結果に応じた枚数のメダルがメダル払出口からメダル受け皿８２へ払い出されるようになっている。また、例えば、スロットマシン１内にメダルが貯留されている状態で、精算ボタン７８が押下された場合、精算ボタン７８の押下に伴ってホッパーユニットから貯留されたメダルの枚数を排出する精算処理が実行され、ホッパーユニットがメダル払出口からメダル受け皿８２へメダルを排出する。
【００２４】
図２は、前面上扉２０の背面を示す図である。図２に示すように、本実施形態の前面上扉２０は、蝶番２１ａ，２１ｂを介して固定部材としての筐体１０（図１参照）に支持されるベース部３０を有している。ベース部３０は、背面側において、ベース部３０の背面をカバーするカバー部３１と、カバー部３１に取り付けられ液晶表示装置９０（図１参照）をカバーする液晶カバー部３２と、液晶表示装置９０の後方に設けられ液晶カバー部３２に取り付けられた副制御基板ユニット３３と、を支持している。
【００２５】
副制御基板ユニット３３は、内部にスロットマシン１における演出に係る各種制御を実行する制御基板である副制御基板３３ａを有している。スロットマシン１は、副制御基板３３ａから出力される信号に基づき、液晶表示装置９０に映像を表示させる演出や、ランプやＬＥＤ（不図示）を発光させる演出、スピーカー（不図示）から音声を出力させる演出が選択的に実行される。
【００２６】
副制御基板ユニット３３の下部には、第１リール〜第３リールに光を当てる光源を内包するリール照明ユニット４０が設けられている。副制御基板３３ａは、リール照明ユニット４０に内包され光源としての複数のＬＥＤ４２ａ（図３参照）を有し図中左方に設けられた第１ＬＥＤ基板４２と、リール照明ユニット４０に内包され光源としての複数のＬＥＤ４３ａ（図３参照）を有し図中右方に設けられた第２ＬＥＤ基板４３と、にコネクタ３３ｂに接続されたハーネス３４によって電気的に接続されている。ハーネス３４は、副制御基板ユニット３３に係止されるクランプ３５と、リール照明ユニット４０に係止されるクランプ６０ａ，６０ｂと、によって結束及び係止され、前面上扉２０の背面側で自在に動いてしまうことが防止されている。ハーネス３４によって電気的に接続される副制御基板３３ａと第１ＬＥＤ基板４２及び第２ＬＥＤ基板４３が、本実施形態における複数の電気部品を構成する。
【００２７】
２．リール照明ユニットの詳細
図３は、リール照明ユニット４０の構成部品の一部を示す分解図である。リール照明ユニット４０は、ベース部３０（図２参照）に接続され、リール照明ユニット４０を構成する各部品を支持する照明ベース部４１と、照明ベース部４１の図中右側において支持され、複数のＬＥＤ４２ａを有する第１ＬＥＤ基板４２と、照明ベース部４１の図中左側において支持され、複数のＬＥＤ４３ａを有する第２ＬＥＤ基板４３と、照明ベース部４１に取り付けられることで第１ＬＥＤ基板４２及び第２ＬＥＤ基板４３を被覆する照明カバー部５０と、図２に示す副制御基板３３ａと第１ＬＥＤ基板４２とを電気的に接続するハーネス３４を結束し移動を規制するクランプ６０ａと、副制御基板３３ａと第２ＬＥＤ基板４３とを電気的に接続するハーネス３４を結束しハーネス３４の移動を規制するクランプ６０ｂと、を有している。
【００２８】
照明ベース部４１は、第１ＬＥＤ基板４２を位置決め可能に設けられた第１取付け部４２ｂにおいて第１ＬＥＤ基板４２を支持し、第２ＬＥＤ基板４３を位置決め可能に設けられた第２取付け部４３ｂにおいて第２ＬＥＤ基板４３を支持している。また、照明ベース部４１の前方側には、図中右方に穴４４ａが設けられ、図中左方に穴４４ｂが設けられている。
【００２９】
照明カバー部５０は、第１ＬＥＤ基板４２及び第２ＬＥＤ基板４３を被覆する板状の被覆板５１と、被覆板５１の前方側の図中右方に設けられ、弾性変形して照明ベース部４１の穴４４ａに挿入されることで、自身の弾性力によって照明カバー部５０を照明ベース部４１に係止する爪５２ａと、被覆板５１の前方側の図中右方に設けられ、弾性変形して照明ベース部４１の穴４４ｂに挿入されることで、自身の弾性力によって照明カバー部５０を照明ベース部４１に係止する爪５２ｂと、図中右側及び左側の各端部近傍に設けられ、クランプ６０ａ，６０ｂが挿入された際にクランプ６０ａ，６０ｂが係止される穴である係止穴５３と、を有している。
【００３０】
クランプ６０ａ，６０ｂが係止される係止穴５３を有する照明カバー部５０は、本実施形態における被係止部を構成する。なお、以下の記載において、クランプ６０ａ，６０ｂをまとめてクランプ６０とも記載する。
【００３１】
図４は、クランプ６０の詳細を示す図である。図４に示すように、ハーネス３４（図２参照）を結束しハーネス３４をスロットマシン１（図１参照）に係止する結束部材としてのクランプ６０は、帯状に形成され所定の形状を維持することでハーネス３４を結束するバンド部６１と、バンド部６１を所定の形状に維持するヘッド部６２と、ヘッド部６２の図中右方側に設けられ、ヘッド部６２が係止穴５３（図３参照）に挿入される際に弾性変形し、自身の弾性力によってヘッド部６２を照明カバー部５０（図３参照）に係止する係止爪６３ａと、ヘッド部６２の図中左方側に設けられ、ヘッド部６２が係止穴５３に挿入される際に弾性変形し、自身の弾性力によってヘッド部６２を照明カバー部５０に係止する係止爪６３ｂと、を有している。
【００３２】
ヘッド部６２は、図中上方となる一端側の頭頂部６２ａにおいて、バンド部６１の一端側と接続するとともに、頭頂部６２ａにおいてバンド部６１の他端側となる先端６１ｂが挿入される。バンド部６１の先端６１ｂが挿入された場合、ヘッド部６２は、バンド部６１の内面側に形成された凹凸部６１ａと、ヘッド部６２の内部に形成された凹凸部６２ｂと、が噛合することで、バンド部６１の形状を所定の形状に維持する。なお、ヘッド部６２は、前面に設けられた押圧部６２ｃが押圧されている状態である場合に、バンド部６１の凹凸部６１ａとヘッド部６２の凹凸部６２ｂとが噛合した状態を解除することができる。
【００３３】
係止爪６３ａには、図中右方に突出した凸部６４ａが設けられ、係止爪６３ｂには、図中左方に突出した凸部６４ｂが設けられている。また、クランプ６０は、ヘッド部６２にバンド部６１が挿入された場合に、ヘッド部６２の図中下方となる他端側の端面６５よりもバンド部６１の先端６１ｂを図中下方に突出可能に構成されている。
【００３４】
図５は、係止穴５３にクランプ６０を挿入した状態を示す断面図である。図５に示すように、クランプ６０は、係止爪６３ａ，６３ｂがヘッド部６２の内側に向けて弾性変形することで係止穴５３に挿入され、挿入後、係止爪６３ａ，６３ｂが自身の弾性力によってヘッド部６２から離れる方向に変形することで、係止爪６３ａに設けられた凸部６４ａが係止穴５３の淵に設けられた淵部５４ａに当接し、係止爪６３ｂに設けられた凸部６４ｂが係止穴５３の淵に設けられた淵部５４ｂに当接することで、挿入されたヘッド部６２が係止穴５３から抜け出てしまうことを防ぎ、ヘッド部６２を照明カバー部５０に係止している。
【００３５】
係止爪６３ａ，６３ｂは、図中上方に設けられ、ヘッド部６２を係止穴５３に挿入しクランプ６０を照明カバー部５０に係止した際に、係止穴５３の外に位置する先端部６６ａ，６６ｂがヘッド部６２の左右方向内側に向けて押圧されることで、弾性変形する。先端部６６ａ，６６ｂがヘッド部６２の左右方向内側に向けて押圧され凸部６４ａ，６４ｂが淵部５４ａ，５４ｂと当接した状態が解除されることで、クランプ６０は、照明カバー部５０から取り外すことができるようになる。
【００３６】
この、凸部６４ａ，６４ｂが淵部５４ａ，５４ｂよりも挿入方向下方まで移動し、凸部６４ａ，６４ｂが淵部５４ａ，５４ｂと当接可能になるとともに、係止爪６３ａ，６３ｂのすべてが係止穴５３内に入ってしまうことが防がれる位置が、本実施形態における所定の位置を構成する。
【００３７】
また、照明カバー部５０は、係止穴５３の内部に位置し、クランプ６０が挿入された際において、所定の位置以上に押し込まれた場合にヘッド部６２の他端側の一部として端面６５に接触することで、ヘッド部６２が係止穴５３に過度に侵入することを防ぐ規制部５５を有している。また、規制部５５は、ヘッド部６２の端面６５と接触した際に、ヘッド部６２の端面６５よりもヘッド部６２の挿入方向に突出する突出部としてのバンド部６１の先端６１ｂ（図４参照）が侵入可能な空間を形成する空間形成部５６を有している。
【００３８】
空間形成部５６を有することにより、本実施形態のスロットマシン１は、挿入方向に突出したバンド部６１の先端６１ｂを有するヘッド部６２が係止穴５３に挿入される際に、先端６１ｂが規制部５５に干渉してしまい、ヘッド部６２を所定の位置まで挿入することができず、係止爪６３ａ，６３ｂによってクランプ６０を照明カバー部５０に係止することができなくなってしまうことを防ぐことができる。
【００３９】
以上のように、本実施形態のスロットマシン１は、クランプ６０を照明カバー部５０の係止穴５３に挿入する際に、ヘッド部６２が所定の位置以上に押し込まれた際に、ヘッド部６２の他端側の一部の端面６５と当接する規制部５５を係止穴５３の内部に有することで、クランプ６０を照明カバー部５０に挿入し係止する際に、クランプ６０のヘッド部６２が所定の位置以上に押し込まれ、係止爪６３ａ，６３ｂのすべてが係止穴５３内に入ってしまい、クランプ６０を照明カバー部５０から取り外すことができなくなってしまうことを防ぐことができ、自身の弾性力によって部品を係止する係止爪６３ａ，６３ｂを有するクランプ６０が着脱不能となることを防ぐことができる。
【００４０】
これにより、本実施形態のスロットマシン１は、副制御基板３３ａと第１ＬＥＤ基板４２及び第２ＬＥＤ基板４３とを電気的に接続するハーネス３４を結束するクランプ６０が、リール照明ユニット４０から取り外せなくなることを防ぐことができ、メンテナンス時においてハーネス３４をリール照明ユニット４０から取り外すことができなくなってしまい、メンテナンスが困難になってしまうことを防ぐことができる。
【００４１】
３．変形例
なお、本実施形態において、スロットマシン１は、被係止部としてリール照明ユニット４０の照明カバー部５０を備えているが、これに限らず、ハーネスを結束するクランプが係止される穴を有する部材であればよく、例えばクランプ３５が係止されるベース部３０においても本発明を適用してもよく、被係止部の構成については、本実施形態に限定されない。
【００４２】
また、本実施形態において、クランプ６０は、バンド部６１の先端がヘッド部６２の一端側から挿入され、他端側に挿通されることでバンド部６１を所定の形状に維持するように構成されているが、これに限定されない。クランプ６０は、ヘッド部６２の一端側にバンド部６１が挿入された際にバンド部６１を所定の形状に維持する固定部を別途有するように構成されていてもよく、バンド部６１の先端６１ｂがヘッド部６２内を挿通しないように構成されていてもよい。
【００４３】
また、本実施形態において、クランプ６０は、係止部として２本の係止爪６３ａ，６３ｂを有しているが、これに限らず、単一の係止爪によってヘッド部６２を照明カバー部５０に係止するように構成されていてもよく、自身の弾性力によって物体を係止するスナップフィット構造であれば、その具体的な構成について、本実施形態に限定されない。
【００４４】
また、本実施形態において、スロットマシン１は、複数の電気部品として副制御基板３３ａと第１ＬＥＤ基板４２及び第２ＬＥＤ基板４３とを有しているが、これに限らず、例えば副制御基板３３ａと、前面上扉２０の上部前面において演出を行う基板に電気的に接続された中継基板と、であってもよく、ハーネスによって電気的に接続される複数の電気部品であれば、本実施形態に限定されない。
【００４５】
また、本実施形態において、クランプ６０は、突出部としてバンド部６１の先端６１ｂを有しているが、これに限らず、例えばヘッド部６２が規制部５５に当接可能な端面６５と端面よりも突出する突出部を有するように構成されていてもよい。
【００４６】
また、本実施形態において、規制部５５は、空間形成部５６を有しているが、これに限定されない。規制部５５は、空間形成部５６を有さず、ヘッド部６２の端面６５と全面で当接可能に構成されていてもよい。
【００４７】
また、本実施形態では遊技機としてのスロットマシン１を一例として説明したが、本発明は弾球遊技機等のパチンコ機を含む各種の遊技機に適用可能であり、例えばパチンコ機における主制御基板と副制御基板とを電気的に接続するハーネスを結束しパチンコ機に係止する結束部材が係止されるフレーム等の被係止部において、結束部材のヘッド部が係止穴に挿入される際に所定の位置以上に押し込まれた場合に、ヘッド部のうちバンド部が挿入される一端側と対向する他端側の一部と当接する規制部を有するように構成されていてもよい。
【符号の説明】
【００４８】
１      スロットマシン（遊技機）
３３ａ  副制御基板（電気部品）
３４    ハーネス
４２    第１ＬＥＤ基板（電気部品）
４３    第２ＬＥＤ基板（電気部品）
５０    照明カバー部（被係止部）
５３    係止穴
５５    規制部
５６    空間形成部
６０    クランプ（結束部材）
６１    バンド部
６１ｂ  先端（突出部）
６２    ヘッド部
６３ａ  係止爪（係止部）
６３ｂ  係止爪（係止部）
６５    端面
【図１】
2019058552.tif 000003
【図２】
2019058552.tif 000004
【図３】
2019058552.tif 000005
【図４】
2019058552.tif 000006
【図５】
2019058552.tif 000007